(57)【要約】【課題】振動板が振動振幅の最上点に達した時でも安定した駆動力を与えることができ、薄型化を可能とする磁気ギャップ構造及びダイナミックスピーカを提供する。【解決手段】磁気回路を構成するトッププレート９とヨーク８のそれぞれに設けたボイスコイル１２に対する磁気ギャップを構成する複数の突起と、前記複数の突起を貫通する孔が形成された振動板１０と、を備える。【選択図】図４
2009141521.tif 000002
【特許請求の範囲】
【請求項１】
ダイナミックスピーカ用の磁気ギャップ構造であって、磁気回路を構成するトッププレートとヨークのそれぞれに、振動板に形成した複数の穴を貫通する複数の突起を備え、それぞれの突起から磁力線を放射するボイスコイルに対する磁気ギャップを構成したことを特徴とする磁気ギャップ構造。
【請求項２】
前記振動板が最上点に変位しても、それぞれに突起から放射される磁力線によってボイスコイルに駆動力を与えることを可能とする請求項１に記載の磁気ギャップ構造。
【請求項３】
前記ボイスコイルが振動板の近くに配置したことを特徴とする請求項１又は２に記載の磁気ギャップ構造。
【請求項４】
前記複数の突起は、トッププレートとヨークの円周方向に所定の間隔で対向配置し、ヨークとトッププレート内部を通る磁束の断面積と複数の突起を通る磁束の断面積が等しくなるようにヨークとトッププレートを振動板の振動方向に薄型化したことを特徴とする請求項１、２又は３に記載の磁気ギャップ構造。
【請求項５】
前記磁気回路を振動板の近傍に配置し、スピーカの磁気回路による突出を抑制したこと特徴とする請求項１ないし４の何れかの請求項に記載の磁気ギャップ構造。
【請求項６】
磁気回路を構成するトッププレートとヨークのそれぞれに設けたボイスコイルに対する磁気ギャップを構成する複数の突起と、前記複数の突起を貫通する孔が形成された振動板と、を備えることを特徴とするダイナミックスピーカ。
【請求項７】
前記振動板の変位の最上点においても、前記磁気ギャップの磁力線により前記ボイスコイルに駆動力を与えることを可能とする請求項６に記載のダイナミックスピーカ。
【請求項８】
前記ボイスコイルは振動板の近傍に配置することによりボイスコイルボビンの短縮化を可能とすることを特徴とする請求項６又は７に記載のダイナミックスピーカ。
【請求項９】
前記複数の突起は、トッププレートとヨークの円周方向に所定の間隔で対向配置し、ヨークとトッププレート内部を通る磁束の断面積と複数の突起を通る磁束の断面積が等しくなるようにヨークとトッププレートを振動板の振動方向に薄型化したことを特徴とする請求項６、７又は８に記載のダイナミックスピーカ。
【請求項１０】
前記磁気回路を振動板の近傍に配置し、スピーカの磁気回路による突出を抑制したこと特徴とする請求項６ないし９の何れかの請求項に記載のダイナミックスピーカ。
【請求項１１】
前記トッププレート及びヨークのそれぞれの突起の断面積に対して、前記振動板の孔の面積を大きくし、前記孔からボイスコイルの発熱の放熱を可能としたことを特徴とする請求項６ないし１０の何れか請求項に記載のダイナミックスピーカ。
【請求項１２】
前記振動板の孔は、突起の断面形状がボイスコイルの直径方向より同円周方向が大きいことを特徴とする請求項１１記載のダイナミックスピーカ。
【発明の詳細な説明】
【技術分野】
【０００１】
本発明は磁気ギャップ構造及びダイナミックスピーカに関する。
【背景技術】
【０００２】
本発明の関連技術のダイナミックスピーカについて説明する。  
図１２は本発明の関連技術のダイナミックスピーカを示す断面図である。また、図１３は同ダイナミックスピーカの正面図であり、図１４は同ダイナミックスピーカの側面図である。本ダイナミックススピーカは、ヨークの内側にマグネットを設けた内磁型磁気回路を使用して構成されたダイナミックスピーカである。
【０００３】
図１２に示すように、本ダイナミックスピーカは、本体フレーム６の底部に配置された椀状のヨーク８と、マグネット７と、該マグネット７の上面に配置されたトッププレート９とで磁気回路を構成し、ヨーク８とトッププレート９の間隙に磁気ギャップを形成している。
【０００４】
また、本体フレーム６の上部には振動板１０を配置し、振動板１０の底部（下部）には磁気ギャップに位置するボイスコイル１２を巻回したボイスコイルボビン１３が固定される。更に、本体フレーム６の端部にはボイスコイルに電気信号を供給する端子３が形成された端子フレーム５を備え、端子３からコイルリード線４を介してボイスコイル１２に電気信号が供給される。
【０００５】
また、図１３、図１４に示すようにスピーカの上面には前面音孔２が設けられたスピーカプロテクタ１で覆われており、図１２に示すように本体フレーム６にも複数の後面音孔１１が設けられている。
【０００６】
以上の構成により端子３からボビンコイル１３に可聴信号を供給してボビンコイル１３に磁界を発生し、マグネット７によるヨーク８とトッププレート９の磁気ギャップで生じる磁力線との作用によりボビンコイル１３（ボイスコイルボビン１３）に駆動力を発生させて振動板１０を振動させて音響を発生する。
【０００７】
このように前記関連技術のダイナミックスピーカは、磁気回路の磁気ギャップに配置されるボイスコイル１２に生じる駆動力により振動板の前後（上下）の振動により音を発生する原理に基づくものである。このため、振動板が振動する振幅の範囲で安定した駆動力が発生するように、ボイスコイル１２の長さに対して、磁気回路のギャップの厚み（前後方向の幅）を十分大きくする必要があった。さらに振動板１０が振動する振幅に応じて振動板１０と磁気回路のトッププレート及びアーム上面等との間にクリアランスが必要であり、ボイスコイル１２は振動板１０に対してある程度距離をあけて配置することが必要であった。
【発明の開示】
【発明が解決しようとする課題】
【０００８】
前述のように関連技術のダイナミックスピーカでは、振動する振動板の振幅の頂点（最下点、最上点）で安定した駆動力を発生させるためには、磁気ギャップの厚みと振動板の振動時の振幅に対するクリアランスが必要であることから、構造上薄型化が困難であった。
【０００９】
特に、振動板が最上点に達した時でも、ボイスコイルは磁気ギャップ内に位置している必要があるため、ボイスコイルは振動板から離れた位置に配置する必要があり、ダイナミックスピーカの薄型化を一層困難にしている。
【００１０】
また、このようなダイナミックスピーカを薄型化するために磁気回路を構成するヨークやトッププレートを薄型化すると、マグネットの磁力に対して飽和しやすくなり磁気ギャップに磁束密度をある程度高める必要があるから、この方法による薄型化にも限界があった。
【００１１】
また、ダイナミックスピーカでは電気信号が増大するとボイスコイル等から発熱が生じ、その熱はボイスコイルや磁気ギャップから放熱されにくいので、熱が滞留しやすいという点でも問題があった。
【００１２】
（目的）
本発明は、以上の問題に鑑みてなされたものであり、その目的は振動板が振動振幅の頂点でも安定した駆動力を与えることができ、薄型化を可能とする磁気ギャップ構造及びダイナミックスピーカを提供することにある。
【００１３】
本発明の他の目的は、振動板の振動に対するクリアランス確保が薄型化を阻害しない磁気ギャップ構造及びダイナミックスピーカを提供することにある。
【課題を解決するための手段】
【００１４】
本発明の第１の磁気ギャップ構造は、ダイナミックスピーカ用の磁気ギャップ構造であって、磁気回路を構成するトッププレートとヨークのそれぞれに、振動板に形成した複数の穴を貫通する複数の突起を備え、それぞれの突起から磁力線を放射するボイスコイルに対する磁気ギャップを構成したことを特徴とする。
【００１５】
本発明の第１のダイナミックスピーカは、磁気回路を構成するトッププレートとヨークのそれぞれに設けたボイスコイルに対する磁気ギャップを構成する複数の突起と、前記複数の突起を貫通する孔が形成された振動板と、を備えることを特徴とする。
【発明の効果】
【００１６】
本発明の磁気ギャップ構造及びダイナミックスピーカによれば、振動板が振動振幅の最上点に達した時でも、振動板に安定した駆動力を与えることができるとともに、振動板の振動振幅に対するクリアランス確保が薄型化を阻害しないという効果を奏する。
【発明を実施するための最良の形態】
【００１７】
（第１の実施形態）
（構成）
本発明の磁気ギャップ構造及びダイナミックスピーカの第１の実施形態について図面を参照して詳細に説明する。
【００１８】
本ダイナミックスピーカにおいては、ヨークとトッププレートに設けた複数の突起により構成した磁気ギャップ構造を備える。そこで、本実施形態のヨークとトッププレートによる磁気ギャップ構造について、内磁型磁気回路を用いた構成例により以下説明する。
【００１９】
図１は本実施形態のトッププレートの構成例を示す図である。本実施の形態のトッププレート９は、プレート上面の周囲に、第１のトッププレート突起１４、第２のトッププレート突起１５、第３のトッププレート突起１６及び第４のトッププレート突起１７からなる４つの突起が形成された構造を備える。
【００２０】
図２は本実施形態のヨークの構成例を示す図である。ヨーク８は、内部のマグネット７上に配置される前記トッププレート９の４つのトッププレート突起のそれぞれに対向する位置に、第１のヨーク突起１８、第２のヨーク突起１９、第３のヨーク突起２０及び第４のヨーク突起２１の４つの突起が形成された構造を備える。
【００２１】
図３はトッププレート９をヨーク８の内部のマグネット７上に配置した状態を示す正面側の概観図である。図３から分かるように、ヨーク８には内側にドラム状のマグネットが配置され、該マグネット上にトッププレート９が配置される。この状態ではヨーク８とトッププレート９に設けられた各突起は、それぞれ同じ向きに対向して配置され、対向する突起の間隙は磁気ギャップを構成する。つまり、トッププレート突起１４とヨーク突起１８は同じ向きに対向して配置され、磁気ギャップを構成する。同様に、トッププレート突起１５、トッププレート突起１６及びトッププレート突起１７は、それぞれヨーク突起１９、ヨーク突起２０及びヨーク突起２１と同じ向きに対向して配置され、それぞれ磁気ギャップを構成する。以上により本実施形態のダイナミックスピーカ用の磁気ギャップ構造が構成される。
【００２２】
次に、前記磁気ギャップ構造を備えるダイナミックスピーカについて詳細に説明する。  
図４は本実施形態のダイナミックスピーカを示す断面図である。前記磁気ギャップ構造を備えるダイナミックスピーカにおけるトッププレート９の突起１５、１６及びヨーク８の突起１９、２０を横切る部分の断面図である。
【００２３】
本ダイナミックスピーカは、図４に示すように、複数の後部音孔１１を有する本体フレーム６、本体フレーム６の底部に配置された椀状のヨーク８と、ヨーク８内部に配置されたマグネット７と、マグネット７の上面に配置され、ヨーク８とで内磁型磁気回路の磁気ギャップＡの間隙を形成するトッププレート９とからなる磁気ギャップ構造、前記本体フレーム６の上部に配置された振動板１０と、その上面を覆う前面音孔２を有するスピーカプロテクタ１を備える。
【００２４】
また、振動板１０の底部にはヨーク８とトッププレート９の磁気ギャップＡに位置するボイスコイル１２を巻回したボイスコイルボビン１３を備え、本体フレーム６の端部には、ボイスコイル１２に電気信号を供給するコイルリード線４と接続された端子３を有する端子フレーム５を備える。
【００２５】
図５は本実施形態のダイナミックスピーカの振動板１０を取り除いた正面側の外観図であり、図６は本実施形態のダイナミックスピーカの振動板１０を有する正面側の外観図である。
【００２６】
図５、図６から分かるように、振動板１０には、ヨーク８とトッププレート９に設けられた各突起の位置に合わせて、各突起と接触しないように突起より僅かに大きい形状の８個の孔が設けられている。
【００２７】
つまり、ヨーク８に設けた第１のヨーク突起１８、第２のヨーク突起１９、第３のヨーク突起２０、第４のヨーク突起２１に合わせて、振動板１０にそれぞれ第１の振動板孔２２、第２の振動板孔２３、第３の振動板孔２４、第４の振動板孔２５を設け、トッププレート９に設けた第１のトッププレート突起１４、第２のトッププレート突起１５、第３のトッププレート突起１６、第４のトッププレート突起１７に合わせて、振動板１０にそれぞれ第１の振動板孔２６、第２の振動板孔２７、第３の振動板孔２８、第４の振動板孔２９を設けている。また、ヨーク８及びトッププレート９の各突起は振動板１０のそれぞれの振動板孔を貫通している。
【００２８】
以上の構成により、本実施形態のヨーク８にマグネット７及びトッププレート９を取り付けた状態では、突起を含む断面は図４に示すように、磁気ギャップＡの厚み（上下の幅）は突起の高さにより充分に確保できるとともに、前記突起は振動板１０に形成した孔を貫通するため、ボイスコイル１２（ボイスコイルボビン１３）は振動板１０の底部の近く（近傍）に取り付けることが可能であり、ボイスコイル１２は磁気ギャップの厚みの範囲内で振動するような設定が可能となる。
【００２９】
また、非駆動状態での振動板の底部をヨーク突起及びプレート突起の上面より下側に位置させることが可能であり、振動板１０の最上点に位置する場合にもボイスコイル１２が各突起で形成される磁気ギャップＡに位置するように構成することが可能である。つまり、磁気ギャップはヨーク８とトッププレート９とそれぞれの突起によって構成され、この磁気ギャップの中にボイスコイル１２とボイスコイルボビン１３が配置され、ボイスコイル１２に流れる信号電流と磁気ギャップの磁界とによりフレミングの法則によって振動板１０を動かす駆動力が供給される。
【００３０】
（動作）
次に、本実施形態の磁気ギャップ及びダイナミックスピーカの動作を図７〜図８を用いて詳細に説明する。
【００３１】
図７は振動板１０の動作時の振動振幅の最上点に位置する状態を示す断面図であり、図８は振動板１０の動作時の振動振幅の最下点に位置する状態を示す断面図である。
【００３２】
図７に示す状態は、端子３からコイルリード線４を介してボイスコイル１２に一方向に流れる信号電流と、ヨーク８とトッププレート９の突起で構成される磁気ギャップＡの磁力線との作用により、ボイスコイルボビン１３を介して振動板１０に駆動力が発生し、振動板１０がヨーク８とトッププレート９に設けられた突起の上端に位置し、図８に示す状態は、同様にボイスコイル１２に他方向に流れる信号電流と、ヨーク８とトッププレート９の突起で構成される磁気ギャップＡの磁力線との作用により、ボイスコイルボビン１３を介して振動板１０に駆動力が発生し、振動板１０がヨーク８とトッププレート９に設けられた突起の下端に位置している。
【００３３】
また、ヨーク８とトッププレート９のそれぞれの突起は、対応する振動板１０に設けられた孔を貫通する為、振動板１０の最下点への動きを妨げることが無なく、ボイスコイル１２は振動板１０の最下点及び最上点でも磁気ギャップＡ内に位置し、振動板１０のストロークに対して常にボイスコイル１２に駆動力を与えることができる。
【００３４】
また、図７に示す位置でも振動板１０は磁気ギャップＡにある為、ボイスコイル１２とボイスコイルボビン１３は、図１２〜図１４に示す関連技術のダイナミックスピーカと比べても振動板１０のそばにボイスコイル１２を配置することができる。
【００３５】
このことから振動板１０とボイスコイル１２とボイスコイルボビン１３による厚みを薄くすることができ、磁気回路を薄型化することと、磁気回路をより振動板に近い部分に配置することでスピーカの薄型化が可能である。
【００３６】
また、ヨーク８とトッププレート９の端面から放射される磁気ギャップＡの磁力線は、それぞれヨーク８とトッププレート９の突起からも放射される為、ヨーク８とトッププレート９を薄くしても、ヨーク８とトッププレート９内部を通る磁束の断面積とそれぞれの突起からの磁束の断面積は同等に保つことができるので、磁気飽和が発生しづらい、つまり、ポールピースとトッププレートを薄型化しても磁気ギャップが飽和しづらいという利点を有する。
【００３７】
以上のように、本実施形態の磁気ギャップ構造及びダイナミックスピーカによれば、振動板のストロークに対して磁気ギャップの高さを十分確保できるから、磁気回路を薄型化しても振動板のストロークに対してボイスコイルが常に磁気ギャップ内に存在させることができ、振動板に対し振動振幅の最上点に達した時でも安定した駆動力を与えることができ、入力信号に対してリニアリティの良い音響出力を得ることが可能である。
【００３８】
また、トッププレートとヨークの突起によって磁気ギャップを振動板に近い位置に配置でき、且つ突起を貫通する振動板に設けた孔によって振動板が下限にストロークすることを可能としたから、ボイスコイルを振動板に対してより近い位置に配置でき、ボイスコイルボビンを短くでき、スピーカを薄型化することが可能である。
【００３９】
更に、トッププレートとヨークに設けた突起が振動板に設けた穴を貫通する為、磁気回路を振動板に近い位置に配置しても振動板のストロークを阻害せず、スピーカの薄型化を可能とする。
【００４０】
また、振動板が前後に振幅する時のクリアランス確保が可能であるから、振動板の近くにボイスコイルを配置することが可能となり、振動板の薄型化も可能である。
【００４１】
また、磁気ギャップからの磁力線としては、トッププレートとヨークとそれぞれの突起からの広い面積から放射されるから、磁気回路を薄型化しても磁気ギャップの磁束の飽和を抑制でき、この点からも入力信号に対してリニアリティの良い音響出力を得ることが可能である。
【００４２】
（第２の実施形態）
次に、本発明の磁気ギャップ構造及びダイナミックスピーカの第２の実施形態を図９、図１０を用いて説明する。
【００４３】
図９は本発明の第２の実施形態のダイナミックスピーカを示す正面図であり、（ａ）は振動板を取り除いた外観図、（ｂ）は振動板を備える外観図である。
【００４４】
第２の実施形態では、ヨーク８に設けた第１のヨーク突起１８、第２のヨーク突起１９、第３のヨーク突起２０、第４のヨーク突起２１のボイスコイル１２の振動方向と直角な断面積に対して、それぞれ第１の振動板孔２２、第２の振動板孔２３、第３の振動板孔２４、第４の振動板孔２５をボイスコイル１２の円周方向に大きめのサイズとし、トッププレート９に設けた第１のトッププレート突起１４、第２のトッププレート突起１５、第３のトッププレート突起１６、第４のトッププレート突起１７のボイスコイル１２の振動方向と直角な断面積に対して、それぞれ第１の振動板孔２６、第２の振動板孔２７、第３の振動板孔２８、第４の振動板孔２９をボイスコイル１２の円周方向に大きめのサイズとしたものである。その他の構成は第１の実施形態と同様の構成とすることができる。
【００４５】
図１０は図９（ｂ）のａ’−ａでカットした状態を示すダイナミックスピーカの断面図である。振動板１０が最上点に位置する状態の断面を示しており、ａ’−ａの断面ではヨーク８とトッププレート９の突起が存在しないので、ボイスコイル１２で発生する熱は、ヨーク８とトッププレート９のそれぞれの突起の間から振動板１０の孔を経由して放熱される。すなわち、ボイスコイル１２で発生する熱は振動板１０が上方に変位する過程で外部に放熱されるので、磁気ギャップ内部に熱が滞留せず、冷却効率が向上する。
【００４６】
以上のように第２の実施形態によれば、第１の実施形態に関して述べた前記作用効果に加えて、振動板の孔形状により振動板が最上点に達した状態等において、トッププレートとヨークに設けた複数の突起と突起の間の空間が振動板に設けた孔により外部への放熱可能な開口となるから、ボイスコイルから発生する熱は前記開口を介して放射され、ボイスコイルの冷却効率を高めることができる。
【００４７】
（第３の実施形態）
本発明のダイナミックスピーカとして第１、第２の実施形態により内磁型磁気回路を使用した構成例を説明したが、本発明は外磁型磁気回路を使用したダイナミックスピーカにおいても同様に実施することが可能である。本ダイナミックスピーカにおいても、ヨーク及びトッププレートには第１及び第２の実施形態と同様の突起形状を形成し、振動板には前記突起を貫通する孔が設置される。
【００４８】
図１１は本発明の第３の実施形態のダイナミックスピーカを示す図である。同図はヨーク及びトッププレートの突起が設置された角度でカットした断面図を示している。
【００４９】
本体フレーム６に設けられた磁気ギャップ構造は、ヨーク３８と円筒状等のマグネット２７とトッププレート３９とから構成され、ヨーク３８を構成するセンターポール部３８ｂ及びトッププレート３９の上面側の円周に沿ってそれぞれ複数の突起３８ａ、３９ａが対向して配置され、対向する突起の間隙で磁気ギャップが形成される。
【００５０】
また、振動板１０は、ヨーク３８を構成するセンターポール部３８ｂ及びトッププレート３９の上面側の複数の突起３８ａ、３９ａに対応する位置に、各突起が貫通するように孔が形成され、ボイスコイル１２が巻回されたボイスコイルボビン１３が振動板１０の底部（下部）の近くに固定される。その他、本体フレーム６の背面音孔２、前面音孔５を有するスピーカプロテクタ１、コイルリード線４及び端子３が形成された端子フレーム５等は第１、２の実施形態の構成と同様である。第３の実施形態のスピーカ前面側の外観は図５、６に示す外観図と同様である。
【００５１】
以上の構成により、第３の実施形態のヨーク３８にマグネット２７及びトッププレート３９を取り付けた状態で、突起を含む断面は図１１に示すように、磁気ギャップの厚み（上下の幅）が突起の高さにより充分に確保されるとともに、前記突起は振動板１０に形成した孔を貫通するため、ボイスコイル１２（ボイスコイルボビン１３）は振動板１０の底部の近く（近傍）に取り付けることが可能であり、ボイスコイル１２は磁気ギャップの厚みの範囲内で振動するような設定が可能となる。
【００５２】
本発明の実施形態の磁気ギャップ構造及びダイナミックスピーカでは、振動板１０の底部がヨーク突起３８ａ及びプレート突起３９ａの上面より下側に位置させることが可能であり、振動板１０が最上点に位置する場合にもボイスコイル１２が各突起で形成される磁気ギャップに位置するように構成することが可能である。つまり、磁気ギャップはヨーク３８とトッププレート３９とそれぞれの突起によって構成され、この磁気ギャップの中にボイスコイル１２とボイスコイルボビン１３が配置され、ボイスコイル１２に流れる信号電流と磁気ギャップの磁界とによりフレミングの法則によって振動板１０を動かす駆動力が供給される。
【００５３】
また、第３の実施形態においても第２の実施形態と同様に、振動板１０の孔を突起の断面より円周方向等に拡張することが可能であり、このように構成した場合は、図１０に示す放熱動作と同様にボイスコイル１２の発熱による温度上昇を抑制可能となる。
【００５４】
従って、外磁型磁気回路を備える実施形態においても、第１及び第２の実施形態と同様に前述のような作用効果を奏することは明らかである。
【００５５】
以上説明した各実施形態においては、ヨーク突起及びプレート突起に４つの突起を形成した場合について説明したが、突起は任意の複数個で構成することが可能である。また、この場合も振動板１０には当該個数の対応する孔が設けられる。
【００５６】
また、振動板１０に設けるボイスコイル１２の円周方向の大きめのサイズの穴は、全てに設ける必要が無く、ヨーク突起に対応する孔、プレート突起に対応する孔又は直線状に並んだヨーク突起とプレート突起に対応する孔等、必要な冷却効果を考慮して選択的に決定することが可能である。
【００５７】
以上のように、本発明の実施形態による磁気ギャップ構造及びダイナミックスピーカは、磁気回路であるトッププレートの上部に突出する突起とヨークの上部に突出する突起とで磁気ギャップを構成し、それぞれの突起を貫通する様に振動板に孔が設けられ、この孔によって振動板の振幅時にそれぞれの突起が干渉しない様に構成されている。
【００５８】
この突起によって構成される磁気ギャップは、振動板が最上点に達した時もボイスコイルに駆動力を与える働きをする。振動板に設けられた孔は、振動板が最下点に達しても振動板が磁気回路の突起を貫通する働きをする。
【００５９】
また、磁気ギャップは磁気回路のトッププレートとヨーク及びそれぞれの突起から磁力線が放射される。また、ボイスコイルはより振動板に近い位置に配置され、ボイスコイルボビンの長さは短くすることが可能である。
【００６０】
本発明の実施形態による磁気ギャップ構造及びダイナミックスピーカは、磁気回路であるトッププレートの上部に突出する突起とヨークの上部に突出する突起で磁気ギャップを構成し、それぞれの突起を貫通する様に振動板に孔が設けられ、この孔によって振動板の振幅時にそれぞれの突起が干渉しない様に構成されている。この突起によって構成される磁気ギャップは、振動板が最上点に達した時もボイスコイルに駆動力を与える働きをするのでリニアリティを確保できる。振動板に設けられた孔は、振動板が最下点に達しても振動板が磁気回路の突起を貫通する働きをするので、振動板により近い位置に磁気回路を配置でき、スピーカを薄型化する効果がある。また、ボイスコイルも振動板に近い位置に配置でき、ボイスコイルボビンの長さは短くできることで、薄型化の効果がある。また、磁気ギャップは磁気回路のヨークとトッププレートとそれぞれの突起から磁力線が放射されるので、ヨークとトッププレートを薄型化しても磁力線が飽和しづらい効果がある。
【図面の簡単な説明】
【００６１】
【図１】本発明の第１の実施形態のトッププレートの構成を示す図である。
【図２】第１の実施形態のヨークの構成を示す図である。
【図３】第１の実施形態の磁気ギャップ構造を示す正面側の概観図である。
【図４】第１の実施形態のダイナミックスピーカを示す断面図である。
【図５】第１の実施形態のダイナミックスピーカの振動板１０を取り除いた正面側の外観図である。
【図６】第１の実施形態のダイナミックスピーカの振動板１０を有する正面側の外観図である。
【図７】振動板１０の動作時の振動振幅の最上点に位置する状態を示す断面図である。
【図８】振動板１０の動作時の振動振幅の最下点に位置する状態を示す断面図である。
【図９】本発明の第２の実施形態のダイナミックスピーカを示す正面図であり、（ａ）は振動板を取り除いた外観図、（ｂ）は振動板を備える外観図である。
【図１０】第２の実施形態のダイナミックスピーカの断面図である。
【図１１】本発明の第３の実施形態のダイナミックスピーカを示す図である。
【図１２】本発明の関連技術のダイナミックスピーカを示す断面図である。
【図１３】同ダイナミックスピーカの正面図であり、
【図１４】同ダイナミックスピーカの側面図である。
【符号の説明】
【００６２】
１  スピーカプロテクタ
２  スピーカ前面音孔（前面音孔）
３  端子
４  コイルリード線
５  端子フレーム
６  本体フレーム
７  マグネット（円柱状磁石等）
８、３８  ヨーク
９、３９  トッププレート
１０  振動板
１１  背面音孔
１２  ボイスコイル
１３  ボイスコイルボビン
１４、１５、１６、１７、３９ａ  トッププレート突起
１８、１９、２０、２１、３８ａ  ヨーク突起
２２、２３、２４、２５、２６、２７、２８、２９  振動板孔（孔）
２７  マグネット（円筒状磁石等）
３８ｂ  センターポール部
Ａ  磁気ギャップ
【図１】
2009141521.tif 000003
【図２】
2009141521.tif 000004
【図３】
2009141521.tif 000005
【図４】
2009141521.tif 000006
【図５】
2009141521.tif 000007
【図６】
2009141521.tif 000008
【図７】
2009141521.tif 000009
【図８】
2009141521.tif 000010
【図９】
2009141521.tif 000011
【図１０】
2009141521.tif 000012
【図１１】
2009141521.tif 000013
【図１２】
2009141521.tif 000014
【図１３】
2009141521.tif 000015
【図１４】
2009141521.tif 000016